(57)【要約】【課題】生産コストの低減と生産効率の向上を実現できる調理器を提供する。【解決手段】内鍋１０を加熱するワークコイル５１・・と、前記ワークコイル５１・・を制御する制御基板４１と、前記制御基板４１に設定を指示する操作基板４２と、前記操作基板４２に取り付けられる時予約スイッチ端子４２ｃ・・と、少なくとも前記操作基板４２及び前記時予約スイッチ端子４２ｃ・・を収納する肩部材２２と、を備えた炊飯器１であって、前記時予約スイッチ端子４２ｃ・・の位置に合わせてスイッチ孔７３ｈ・・が形成されたパネルピース７０Ａを具備し、前記パネルピース７０Ａは、前記肩部材２２の開口部２２ｏに嵌め込まれて該肩部材２２の一部を構成する。【選択図】図４
2014168516.tif 000002
【特許請求の範囲】
【請求項１】
調理容器を加熱する加熱手段と、
前記加熱手段を制御する制御基板と、
前記制御基板に設定を指示する操作基板と、
前記操作基板に取り付けられるスイッチ端子と、
少なくとも前記操作基板及び前記スイッチ端子を収納する筐体と、を備えた調理器であって、
前記スイッチ端子の位置に合わせてスイッチ孔が形成されたパネルピースを具備し、
前記パネルピースは、前記筐体の開口部に嵌め込まれて該筐体の一部を構成する、ことを特徴とする調理器。
【請求項２】
前記パネルピースは、前記スイッチ端子の位置に応じて交換される、ことを特徴とする請求項１に記載の調理器。
【請求項３】
調理容器を加熱する加熱手段と、
前記加熱手段を制御する制御基板と、
前記制御基板に設定を指示する操作基板と、
前記操作基板に取り付けられる液晶パネルと、
少なくとも前記操作基板及び前記液晶パネルを収納する筐体と、を備えた調理器であって、
前記液晶パネルの位置や形状に合わせて表示孔が形成されたパネルピースを具備し、
前記パネルピースは、前記筐体の開口部に嵌め込まれて該筐体の一部を構成する、ことを特徴とする調理器。
【請求項４】
前記パネルピースは、前記液晶パネルの位置や形状に応じて交換される、ことを特徴とする請求項３に記載の調理器。
【請求項５】
前記パネルピースは、該パネルピースの外周壁と前記開口部の内周壁の間に所定の隙間が設けられるように形成される、ことを特徴とする請求項１から請求項４のいずれか一項に記載の調理器。
【発明の詳細な説明】
【技術分野】
【０００１】
本発明は、調理器の技術に関する。
【背景技術】
【０００２】
従来より、炊飯器等の調理器が知られている。このような調理器は、操作基板等を収納する筐体に操作用のスイッチボタンが設けられている。また、スイッチボタンのほか、表示画面が設けられたものも存在している（例えば特許文献１、特許文献２参照）。
【０００３】
ところで、このような調理器は、基本的なデザインを同一としつつ、機能を追加又は削減することによって商品展開が図られる。また、このような調理器は、表示画面の大きさによっても商品展開が図られる。例えば炊飯器では、付加された機能や表示画面の大きさによって商品体系が構成されるのである。
【０００４】
ここで、炊飯器を一例として、付加された機能が異なる場合の商品展開を想定する。この場合、各炊飯器の基本的なデザインは同一となるが、仕様毎にスイッチボタンの配置が相違することとなる（図７参照）。これは、付加された機能に応じて操作基板を変更するため、操作基板毎にスイッチ端子の位置が異なることに起因する。従って、このような商品展開をする場合は、仕様毎にスイッチボタンの配置が異なる筐体を開発する必要が生じ、製作費用や管理費用が増加するという問題があった。つまり、このような商品展開においては、生産コストが増加するという問題があったのである。更に、このような商品展開においては、各種の筐体から仕様に応じた筐体を選択する必要が生じるので、生産効率が低下するという問題もあった。
【先行技術文献】
【特許文献】
【０００５】
【特許文献１】特開２００５−１２９２８３号公報
【特許文献２】特開２０１１−１１０３７０号公報
【発明の概要】
【発明が解決しようとする課題】
【０００６】
本発明は、生産コストの低減と生産効率の向上を実現できる調理器を提供することを目的としている。
【課題を解決するための手段】
【０００７】
次に、この課題を解決するための手段を説明する。
【０００８】
即ち、第一の発明は、
調理容器を加熱する加熱手段と、
前記加熱手段を制御する制御基板と、
前記制御基板に設定を指示する操作基板と、
前記操作基板に取り付けられるスイッチ端子と、
少なくとも前記操作基板及び前記スイッチ端子を収納する筐体と、を備えた調理器であって、
前記スイッチ端子の位置に合わせてスイッチ孔が形成されたパネルピースを具備し、
前記パネルピースは、前記筐体の開口部に嵌め込まれて該筐体の一部を構成する、としたものである。
【０００９】
第一の発明によれば、仕様毎に操作基板に取り付けられたスイッチ端子の位置が異なる場合であっても、筐体を兼用できる。これにより、仕様毎に筐体の製作費用や管理費用が掛からないので、生産コストの低減が可能となる。
【００１０】
第二の発明は、第一の発明に係る調理器において、
前記パネルピースは、前記スイッチ端子の位置に応じて交換される、としたものである。
【００１１】
第二の発明によれば、仕様毎に操作基板に取り付けられたスイッチ端子の位置が異なる場合であっても、パネルピースの交換のみで商品展開が可能となる。これにより、仕様毎に各種の筐体から仕様に応じた筐体を選択する必要が生じないので、生産効率の向上が可能となる。
【００１２】
第三の発明は、
調理容器を加熱する加熱手段と、
前記加熱手段を制御する制御基板と、
前記制御基板に設定を指示する操作基板と、
前記操作基板に取り付けられる液晶パネルと、
少なくとも前記操作基板及び前記液晶パネルを収納する筐体と、を備えた調理器であって、
前記液晶パネルの位置や形状に合わせて表示孔が形成されたパネルピースを具備し、
前記パネルピースは、前記筐体の開口部に嵌め込まれて該筐体の一部を構成する、としたものである。
【００１３】
第三の発明によれば、仕様毎に操作基板に取り付けられた液晶パネルの位置や形状が異なる場合であっても、筐体を兼用できる。これにより、仕様毎に筐体の製作費用や管理費用が掛からないので、生産コストの低減が可能となる。
【００１４】
第四の発明は、第三の発明に係る調理器において、
前記パネルピースは、前記液晶パネルの位置や形状に応じて交換される、としたものである。
【００１５】
第四の発明によれば、仕様毎に操作基板に取り付けられた液晶パネルの位置や形状が異なる場合であっても、パネルピースの交換のみで商品展開が可能となる。これにより、仕様毎に各種の筐体から仕様に応じた筐体を選択する必要が生じないので、生産効率の向上が可能となる。
【００１６】
第五の発明は、第一から第四のいずれかの発明に係る調理器において、
前記パネルピースは、該パネルピースの外周壁と前記開口部の内周壁の間に所定の隙間が設けられるように形成される、としたものである。
【００１７】
第五の発明によれば、筐体の寸法がバラついた場合や筐体が変形した場合であっても、パネルピースを嵌め込むことができる。これにより、組み立て作業が滞らないので、生産効率の向上が可能となる。更に、筐体の開口部と操作基板の位置関係がズレた場合であっても、そのズレを吸収できる。また、筐体の開口部と液晶パネルの位置関係がズレた場合であっても、そのズレを吸収できる。これにより、組み立て作業に手直しが発生しにくいので、生産効率の向上が可能となる。
【発明の効果】
【００１８】
本出願に係る発明によれば、生産コストの低減と生産効率の向上を実現できる調理器を提供することが可能となる。
【図面の簡単な説明】
【００１９】
【図１】本発明の一実施形態に係る炊飯器の構成を示す図。
【図２】図１に示す領域Ｒを拡大した図。
【図３】図２に示す矢印Ｆの方向から見た図。
【図４】各種のパネルピースから一のパネルピースを選択できる構造を示す図。
【図５】各種のパネルピースから一のパネルピースを選択できる構造を示す図。
【図６】筐体の開口部にパネルピースを嵌め込んだ状態を示す図。
【図７】炊飯器の商品展開を示す図。
【発明を実施するための形態】
【００２０】
まず、代表的な調理器である炊飯器１について簡単に説明する。なお、本発明の技術的思想は、以下に説明する炊飯器１に限るものではなく、他の調理器にも適用することが可能である。
【００２１】
図１は、本発明の一実施形態に係る炊飯器１の構成を示す図である。なお、図１における左側を炊飯器１の前側とし、図１における右側を炊飯器１の後側と定義する。また、図１における上側を炊飯器１の上側とし、図１における下側を炊飯器１の下側と定義する。
【００２２】
炊飯器１は、電気を用いて米を炊き上げるものである。炊飯器１は、主として、内鍋１０と、炊飯器本体２０と、蓋体３０と、制御装置４０と、で構成されている。
【００２３】
内鍋１０は、米を炊き上げるための調理容器である。内鍋１０は、磁性体金属又は磁性体金属を含有する金属製で、上側面が開口された有底筒状に形成されている。
【００２４】
炊飯器本体２０は、内鍋１０を周方向及び下方向から加熱する構造体である。外ケース２１と肩部材２２と底部材２３は、炊飯器１の外観を構成する。即ち、外ケース２１と肩部材２２と底部材２３は、炊飯器１の筐体といえる。かかる筐体の内部には、内鍋１０のほか、炊飯器本体２０を構成する各部品が収納されている。例えば適宜の位置に制御基板４１や操作基板４２、センタセンサ４３、ワークコイル５１、保温ヒータ５２等が収納されている。なお、本炊飯器１は、肩部材２２の前側部分に操作パネル６０が設けられている。更に、肩部材２２の後側部分にヒンジ２２ｈが設けられている。
【００２５】
蓋体３０は、内鍋１０を上方向から加熱するとともに、内部の圧力を調整する構造体である。蓋体３０は、上述したヒンジ２２ｈに取り付けられており、該ヒンジ２２ｈを中心として上下方向に開閉できる。蓋部材３１は、炊飯器１の外観を構成する。即ち、蓋部材３１は、炊飯器１の筐体といえる。かかる筐体の内部には、蓋体３０を構成する各部品が収納されている。例えば適宜の位置に蓋ヒータ５３や放熱板５４等が収納されている。なお、本炊飯器１では、肩部材２２に操作パネル６０が設けられているが、蓋体３０に設けられていてもよい。
【００２６】
制御装置４０は、炊飯器本体２０や蓋体３０を構成する各部品を制御する。制御装置４０は、制御基板４１や操作基板４２等で構成されている。制御基板４１は、操作基板４２からの指示に基づいて加熱手段を制御する。操作基板４２は、ユーザーの操作に基づいて制御基板４１に設定を指示する。つまり、制御装置４０は、ユーザーの操作に基づいて加熱手段を制御するのである。ここで、「加熱手段」とは、上述したワークコイル５１や保温ヒータ５２、蓋ヒータ５３を指す。
【００２７】
制御基板４１には、各種の電気回路が構成されている。例えばワークコイル駆動回路やヒータ駆動回路である。また、制御基板４１には、ワークコイル５１や保温ヒータ５２、蓋ヒータ５３を制御できる制御基板ユニットが設けられている。制御基板ユニットには、上述した電気回路のほか、センタセンサ４３や蓋センサ、蒸気センサ等が接続されている。
【００２８】
このような構成により、制御基板ユニットは、加熱手段であるワークコイル５１や保温ヒータ５２、蓋ヒータ５３の出力を制御できる。具体的に説明すると、制御基板ユニットは、ワークコイル駆動回路を介してワークコイル５１による発熱量を制御できる。同様に、制御基板ユニットは、ヒータ駆動回路を介して保温ヒータ５２や蓋ヒータ５３による発熱量を制御できる。
【００２９】
一方、操作基板４２も、各種の電気回路が構成されている。例えばメインクロック信号発生回路やサブクロック信号発生回路である。また、操作基板４２には、制御プログラムが記憶された操作基板ユニットが設けられている。操作基板ユニットには、上述した電気回路のほか、炊飯スイッチ端子４２ａや保温スイッチ端子４２ｂ、時予約スイッチ端子４２ｃ、分予約スイッチ端子４２ｄ等が接続されている（図２参照）。更に、操作基板ユニットには、液晶パネル７５や報知ブザー７６が接続されている（図２参照）。
【００３０】
このような構成により、操作基板ユニットは、ユーザーが定めた設定を制御基板４１に指示できる。具体的に説明すると、操作基板ユニットは、ユーザーが炊飯スイッチ端子４２ａや保温スイッチ端子４２ｂ、時予約スイッチ端子４２ｃ、分予約スイッチ端子４２ｄ等を操作して定めた設定を制御基板４１に指示できる。また、操作基板ユニットは、液晶パネル７５の表示内容を指示できる。更に、操作基板ユニットは、報知ブザー７６に発報を指示できる。
【００３１】
次に、本炊飯器１の特徴について詳細に説明する。
【００３２】
図２は、図１に示す領域Ｒを拡大した図である。図３は、図２に示す矢印Ｆの方向から見た図である。そして、図４及び図５は、各種のパネルピース７０Ａ・７０Ｂ・７０Ｃ・・・から一のパネルピースを選択できる構造を示す図である。
【００３３】
上述したように、本炊飯器１は、肩部材２２の前側部分に操作パネル６０が設けられている。操作パネル６０は、肩部材２２の一部と、該肩部材２２の開口部２２ｏに嵌め込まれたパネルピース７０Ａと、で形成されている。換言すると、操作パネル６０は、筐体の一部と、該筐体の開口部２２ｏに嵌め込まれたパネルピース７０Ａと、で形成されている。なお、操作パネル６０には、パネルピース７０Ａを覆うように銘板シート９０が貼り付けられている。
【００３４】
操作パネル６０には、炊飯スイッチボタン６１や保温スイッチボタン６２、時予約スイッチボタン６３、分予約スイッチボタン６４等の各種のスイッチボタンが配置されている。以下に、パネルピース７０Ａ上に設けられる時予約スイッチボタン６３及び分予約スイッチボタン６４について具体的に説明する。
【００３５】
時予約スイッチボタン６３は、主に時予約スイッチ端子４２ｃと時予約スイッチ押体６３Ｐで構成される。時予約スイッチ押体６３Ｐは、その先端部がパネルピース７０Ａのスイッチ孔７３ｈに挿入された状態で支持され、その基端部が時予約スイッチ端子４２ｃに接した状態で配置されている。このような構造により、ユーザーは、時予約スイッチ押体６３Ｐを介して時予約スイッチ端子４２ｃを押すことができる。なお、時予約スイッチボタン６３は、銘板シート９０に描かれた文字や図形によって位置が示されている。
【００３６】
分予約スイッチボタン６４は、主に分予約スイッチ端子４２ｄと分予約スイッチ押体６４Ｐで構成される。分予約スイッチ押体６４Ｐは、その先端部がパネルピース７０Ａのスイッチ孔７４ｈに挿入された状態で支持され、その基端部が分予約スイッチ端子４２ｄに接した状態で配置されている。このような構造により、ユーザーは、分予約スイッチ押体６４Ｐを介して分予約スイッチ端子４２ｄを押すことができる。なお、分予約スイッチボタン６４は、銘板シート９０に描かれた文字や図形によって位置が示されている。
【００３７】
このように、本炊飯器１は、各スイッチ端子４２ｃ・４２ｄ・・・の位置に合わせてスイッチ孔７３ｈ・７４ｈ・・・が形成されたパネルピース７０Ａを具備している。そして、パネルピース７０Ａは、肩部材２２の開口部２２ｏに嵌め込まれて該肩部材２２の一部を構成するのである。なお、本炊飯器１の特徴は、各種のパネルピース７０Ａ・７０Ｂ・７０Ｃ・・・から一のパネルピースを選択できる点にある。従って、本炊飯器１においては、パネルピース７０Ａが選択されているが、仕様に応じてパネルピース７０Ｂやパネルピース７０Ｃを選択することも可能である（図４参照）。
【００３８】
このような構造とすることで、仕様毎に操作基板４２に取り付けられた各スイッチ端子４２ｃ・４２ｄ・・・の位置が異なる場合であっても、肩部材２２（筐体）を兼用できる。これにより、仕様毎に肩部材２２（筐体）の製作費用や管理費用が掛からないので、生産コストの低減が可能となる。
【００３９】
また、このような構造は、製造工程においても利点をもたらす。即ち、仕様毎に操作基板４２に取り付けられた各スイッチ端子４２ｃ・４２ｄ・・・の位置が異なる場合であっても、パネルピース７０Ａ・７０Ｂ・７０Ｃの交換のみで商品展開が可能となる。これにより、仕様毎に各種の肩部材２２（筐体）から仕様に応じた肩部材２２（筐体）を選択する必要が生じないので、生産効率の向上が可能となる。
【００４０】
本炊飯器１においては、操作パネル６０に表示画面７５Ｓが設けられている。
【００４１】
表示画面７５Ｓは、主に液晶パネル７５で構成される。液晶パネル７５は、パネルピース７０Ａの表示孔７５ｈを塞ぐように操作基板４２に取り付けられている。このような構成により、ユーザーは、炊飯スイッチ端子４２ａや保温スイッチ端子４２ｂ、時予約スイッチ端子４２ｃ、分予約スイッチ端子４２ｄ等を操作して定めた設定を視認することができる。なお、表示画面７５Ｓは、銘板シート９０に描かれた文字や図形によって表示内容の把握が容易となっている。
【００４２】
このように、本炊飯器１は、液晶パネル７５の位置や形状に合わせて表示孔７５ｈが形成されたパネルピース７０Ａを具備している。本炊飯器１においては、パネルピース７０Ａが選択されているが、仕様に応じてパネルピース７０Ｄやパネルピース７０Ｅを選択することも可能である（図５参照）。
【００４３】
このような構造とすることで、仕様毎に操作基板４２に取り付けられた液晶パネル７５の位置や形状が異なる場合であっても、肩部材２２（筐体）を兼用できる。これにより、仕様毎に肩部材２２（筐体）の製作費用や管理費用が掛からないので、生産コストの低減が可能となる。
【００４４】
また、このような構造は、製造工程においても利点をもたらす。即ち、仕様毎に操作基板４２に取り付けられた液晶パネル７５の位置や形状が異なる場合であっても、パネルピース７０Ａ・７０Ｄ・７０Ｅの交換のみで商品展開が可能となる。これにより、仕様毎に各種の肩部材２２（筐体）から仕様に応じた肩部材２２（筐体）を選択する必要が生じないので、生産効率の向上が可能となる。
【００４５】
次に、本炊飯器１の他の特徴について説明する。
【００４６】
図６は、肩部材２２の開口部２２ｏにパネルピース７０Ａを嵌め込んだ状態を示す図である。なお、図６に示す矢印Ｘは、肩部材２２の開口部２２ｏ及びパネルピース７０Ａの縦方向を示す。また、図６に示す矢印Ｙは、肩部材２２の開口部２２ｏ及びパネルピース７０Ａの横方向を示す。そして、図６に示す矢印Ｚは、肩部材２２の開口部２２ｏ及びパネルピース７０Ａの厚さ方向を示す。
【００４７】
本炊飯器１において、パネルピース７０Ａは、該パネルピース７０Ａの外周壁と開口部２２ｏの内周壁の間に所定の隙間が設けられるように形成されている。具体的に説明すると、パネルピース７０Ａは、その縦方向の寸法が開口部２２ｏの縦方向の寸法よりも小さく形成され、その横方向の寸法が開口部２２ｏの横方向の寸法よりも小さく形成されている。ここで、パネルピース７０Ａの縦方向の寸法をＬｐ、開口部２２ｏの縦方向の寸法をＬｏとすれば、隙間の寸法Ｌｓは、下記の数式Ｍａが成立する。また、パネルピース７０Ａの横方向の寸法をＷｐ、開口部２２ｏの横方向の寸法をＷｏとすれば、隙間の寸法Ｗｓは、下記の数式Ｍｂが成立する。更に、隙間の寸法ＬｓとＷｓは、下記の数式Ｍｃが成立する。
数式Ｍａ：Ｌｓ＝（Ｌｏ−Ｌｐ）／２
数式Ｍｂ：Ｗｓ＝（Ｗｏ−Ｗｐ）／２
数式Ｍｃ：Ｌｓ＞Ｗｓ
【００４８】
このように、本炊飯器１は、パネルピース７０Ａの外周壁と開口部２２ｏの内周壁の間に所定の隙間Ｌｓ・Ｗｓが設けられる。このときの隙間Ｌｓ・Ｗｓは、肩部材２２の収縮量等をパラメータとして試験によって定められた値とされる。なお、肩部材２２の開口部２２ｏは、表面を窪ませたものではなく、表面から裏面まで貫通した孔である。これは、肩部材２２の収縮量を低減させるためである。更に、隙間の寸法ＬｓとＷｓが数式Ｍｃを満たすように設計したのは、横方向に長い開口部２２ｏを有する肩部材２２において、縦方向の収縮量が横方向の収縮量よりも大きくなるからである。
【００４９】
このような構造とすることで、肩部材２２（筐体）の寸法がバラついた場合や肩部材２２（筐体）が変形した場合であっても、パネルピース７０Ａを嵌め込むことができる。これにより、組み立て作業が滞らないので、生産効率の向上が可能となる。更に、肩部材２２（筐体）の開口部２２ｏと操作基板４２の位置関係がズレた場合であっても、そのズレを吸収できる。また、肩部材２２（筐体）の開口部２２ｏと液晶パネル７５の位置関係がズレた場合であっても、そのズレを吸収できる。これにより、組み立て作業に手直しが発生しにくいので、生産効率の向上が可能となる。
【００５０】
更に、パネルピース７０Ａは、該パネルピース７０Ａの厚さ寸法が開口部２２ｏの厚さ寸法よりも小さくなるように形成されている。ここで、パネルピース７０Ａの厚さ寸法をＴｐ、開口部２２ｏの厚さ寸法をＴｏとすれば、下記の数式Ｍｄが成立する。
数式Ｍｄ：Ｔｐ＜Ｔｏ
【００５１】
このように、本炊飯器１は、パネルピース７０Ａの厚さ寸法Ｔｐが開口部２２ｏの厚さ寸法Ｔｏよりも小さい。このときの寸法差は、肩部材２２の収縮量等をパラメータとして試験によって定められた値とされる。
【００５２】
このような構造とすることで、パネルピース７０Ａを嵌め込んだ後に肩部材２２（筐体）が収縮した場合であっても、パネルピース７０Ａが浮き上がらない。これにより、外観が損なわれないとして、製品品質の向上が可能となる。
【００５３】
次に、本炊飯器１のその他の特徴について説明する。
【００５４】
本炊飯器１は、報知ブザー７６の発報音を聞こえ易くするため、操作パネル６０にブザー孔７６ｈが設けられている（図６参照）。本炊飯器１において、ブザー孔７６ｈは、複数の円弧状のスリット７６ｓによって略環状に形成されている。つまり、ブザー孔７６ｈは、中央の円形板７６Ｐが複数の支持片７６ａによって支えられた構造となっている。なお、銘板シート９０は、ブザー孔７６ｈを覆うように貼り付けられているので、該ブザー孔７６ｈからの水等の浸入を防いでいる。
【００５５】
このような構造とすることで、スイッチボタンを増設したい場合にブザー孔７６ｈを利用することが可能となる。これは、支持片７６ａを切断して円形板７６Ｐを取り除けば、スイッチ孔として利用できるからである。更に、所定の支持片７６ａを残して他の支持片７６ａを切断すれば、円形板７６Ｐをスイッチ押体として利用することも可能となる。
【符号の説明】
【００５６】
１                炊飯器（調理器）
１０              内鍋（調理容器）
２０              炊飯器本体
２１              外ケース（筐体）
２２              肩部材（筐体）
２２ｏ            開口部
２３              底部材（筐体）
３０              蓋体
３１              蓋部材（筐体）
４０              制御装置
４１              制御基板
４２              操作基板
４２ａ            炊飯スイッチ端子
４２ｂ            保温スイッチ端子
４２ｃ            時予約スイッチ端子
４２ｄ            分予約スイッチ端子
５１              ワークコイル（加熱手段）
５２              保温ヒータ（加熱手段）
５３              蓋ヒータ（加熱手段）
６０              操作パネル
６１              炊飯スイッチボタン
６２              保温スイッチボタン
６３              時予約スイッチボタン
６４              分予約スイッチボタン
７０Ａ            パネルピース
７０Ｂ            パネルピース
７０Ｃ            パネルピース
７０Ｄ            パネルピース
７０Ｅ            パネルピース
７３ｈ            スイッチ孔
７４ｈ            スイッチ孔
７５Ｓ            表示画面
７５              液晶パネル
７５ｈ            表示孔
７６              報知ブザー
７６ｈ            ブザー孔
【図１】
2014168516.tif 000003
【図２】
2014168516.tif 000004
【図３】
2014168516.tif 000005
【図４】
2014168516.tif 000006
【図５】
2014168516.tif 000007
【図６】
2014168516.tif 000008
【図７】
2014168516.tif 000009